(57)【要約】      （修正有）【課題】白色画素を含む表示装置の製造工程を単純化させて製造時間および製造コストなどを減少させる表示装置を提供する。【解決手段】複数の着色画素ＰＸ＿１、ＰＸ＿２、ＰＸ＿３、ＰＸ＿Ｗにそれぞれ配設され、互いに異なる色を示す複数の着色フィルター２３０と、透明な有機物質および青色剤を含み、複数のカラーフィルターの上に配設される部分および白色画素ＰＸ＿Ｗに配設される部分を有するオーバーコート膜２５０と、を備える表示装置。【選択図】図４
2016130839.tif 000002
【特許請求の範囲】
【請求項１】
複数の着色画素にそれぞれ配設され、互いに異なる色を示す複数の着色フィルターと、
透明な有機物質および青色剤を含み、前記複数のカラーフィルターの上に配設される部分および白色画素に配設される部分を有するオーバーコート膜と、
を備える表示装置。
【請求項２】
前記複数の着色フィルターは、赤色を示す赤色フィルターと、緑色を示す緑色フィルターおよび青色を示す青色フィルターを備え、
一つの前記白色画素に配設される前記オーバーコート膜が含む前記青色剤の量は、一つの着色画素に配設される前記青色フィルターに含まれている青色剤の量よりも少ない請求項１に記載の表示装置。
【請求項３】
向かい合う第１の基板および第２の基板と、
前記第１の基板の上に配設される複数の信号線と、
をさらに備え、
前記着色画素および前記白色画素は、それぞれ前記複数の信号線と接続されている少なくとも一つの薄膜トランジスターを備え、
前記複数の着色フィルターおよび前記オーバーコート膜は、前記第２の基板の上に配設される請求項２に記載の表示装置。
【請求項４】
前記第２の基板の上に配設され、複数の開口部を有する遮光部材をさらに備え、
前記着色フィルターは、前記遮光部材の前記開口部に配設される部分を有し、
前記オーバーコート膜は、前記白色画素に配設され、前記遮光部材の前記開口部に配設される部分を有する請求項３に記載の表示装置。
【請求項５】
前記白色画素に配設される前記オーバーコート膜の厚さは、前記着色画素に配設される前記オーバーコート膜の厚さよりも大きい請求項４に記載の表示装置。
【請求項６】
前記白色画素に配設される前記オーバーコート膜の上面の高さは、前記着色画素に配設される前記オーバーコート膜の上面の高さよりも小さい請求項５に記載の表示装置。
【請求項７】
基板および前記基板の上に配設される複数の信号線をさらに備え、
前記着色画素および前記白色画素は、それぞれ前記複数の信号線と接続されている少なくとも一つの薄膜トランジスターを備え、
前記複数の着色フィルターおよび前記オーバーコート膜は、前記薄膜トランジスターの上に配設される請求項２に記載の表示装置。
【請求項８】
前記白色画素に配設される前記オーバーコート膜の厚さは、前記着色画素に配設される前記オーバーコート膜の厚さよりも大きい請求項７に記載の表示装置。
【請求項９】
前記白色画素に配設される前記オーバーコート膜の上面の高さは、前記着色画素に配設される前記オーバーコート膜の上面の高さよりも小さい請求項８に記載の表示装置。
【請求項１０】
前記オーバーコート膜の上に配設される複数の画素電極をさらに備える請求項９に記載の表示装置。
【発明の詳細な説明】
【技術分野】
【０００１】
本発明は、表示装置に係り、特に、白色画素を含む表示装置に関する。
【背景技術】
【０００２】
液晶表示装置（ｌｉｑｕｉｄ−ｃｒｙｓｔａｌ−ｄｉｓｐｌａｙａｙ；ＬＣＤ）、有機発光表示装置（ｏｒｇａｎｉｃ ｌｉｇｈｔ ｅｍｉｔｔｉｎｇ ｄｉｏｄｅ ｄｉｓｐｌａｙ）などの表示装置は、一般に、スイッチング素子を有する複数の画素および複数の信号線が設けられた表示板と、階調基準電圧を生成する階調電圧生成部と、階調基準電圧を用いて複数の階調電圧を生成し、生成された階調電圧のうち入力映像信号に対応する階調電圧をデータ信号としてデータ線に印加するデータ駆動部などを備える。
【０００３】
表示装置は、自体的に光を発光する発光素子を有する自体発光型表示装置およびバックライトを有する受光型表示装置を含む。
【０００４】
受光型表示装置の代表例としての液晶表示装置は、現在最も幅広く用いられている表示装置の一つである。液晶表示装置は、複数の画素を含む表示パネルおよび表示パネルに光を供給するバックライト部を備える。表示パネルは、誘電率異方性（ｄｉｅｌｅｃｔｒｉｃ ａｎｉｓｏｔｒｏｐｙ）を有する液晶層と、液晶層に電場を生成する画素電極および共通電極などの電場生成電極を備える。画素電極は、マトリックス状に配列されてもよく、薄膜トランジスター（ＴＦＴ）などのスイッチング素子に接続されて一行ずつに順次にデータ電圧が印加される。共通電極には、共通電圧Ｖｃｏｍが印加される。画素電極および共通電極に電圧を印加して液晶層に電界を生成し、この電界の強さを調節して液晶層を通過する光の透過率を調節することにより所望の画像が得られる。
【０００５】
画素電極および共通電極の２つの電場生成電極は、両方とも１枚の表示板に配設されてもよく、向かい合う２枚の表示板にそれぞれ設けられてもよい。表示装置が２枚の表示板を有する場合、向かい合う２枚の表示板のうち一方の表示板には、電場生成電極のうちデータ電圧が印加される画素電極および複数の薄膜トランジスターがマトリックス状に配列されていてもよく、他方の表示板には、赤色、緑色および青色などの基本色を示すカラーフィルターおよび画素間の光漏れを防ぐ遮光部材が形成されていてもよい。これとは異なり、遮光部材を画素電極および薄膜トランジスターと同じ表示板に形成してもよく、この場合、カラーフィルターも画素電極と同じ表示板に形成される。
【０００６】
このような受光型表示装置は、ほとんどの場合、赤色、緑色および青色の三原色の映像をそれぞれ表示する赤色画素と、緑色画素および青色画素を備える。赤色画素、緑色画素および青色画素のそれぞれの輝度を調節して様々な色表示を実現することができる。しかしながら、赤色画素と、緑色画素および青色画素は着色フィルターを有するため、バックライトから射出された光の量がカラーフィルターを通過しながら減って映像の輝度が低下する。このような問題点を解決するために、三原色などの基本色を示す着色画素に加えて、 着色フィルターを有さずにバックライトの光を着色画素よりも多量通過させる白色画素をさらに含んでもよい。白色画素は着色フィルターを有さないので、映像の輝度を高めることができる。
【先行技術文献】
【特許文献】
【０００７】
【特許文献１】韓国公開特許第２０１０−００７７９７９号公報
【発明の概要】
【発明が解決しようとする課題】
【０００８】
表示装置が白色画素を含む場合、一般に、基板の上に白色フィルター用樹脂などの物質を漏れなく蒸着した後、 フォトリソグラフィ工程などの方法を用いてパターニングしなければならない。したがって、白色画素を追加する場合に輝度を高めることができるが、フォトリソグラフィ工程が追加されて工程時間および工程コストなどが増加し、しかも、製造工程が複雑になる。
【０００９】
したがって、本発明が解決しようとする課題は、白色画素を含む表示装置の製造工程を単純化させて製造時間および製造コストなどを減少させることである。
【００１０】
本発明が解決しようとする他の課題は、映像の色品質を高めることである。
【課題を解決するための手段】
【００１１】
本発明の一実施形態による表示装置は、複数の着色画素にそれぞれ配設され、互いに異なる色を示す複数の着色フィルターと、透明な有機物質および青色剤を含み、前記複数のカラーフィルターの上に配設される部分および白色画素に配設される部分を有するオーバーコート膜と、を備える。
【００１２】
前記複数の着色フィルターは、赤色を示す赤色フィルターと、緑色を示す緑色フィルターおよび青色を示す青色フィルターを備え、一つの前記白色画素に配設される前記オーバーコート膜が含む前記青色剤の量は、一つの着色画素に配設される前記青色フィルターに含まれている青色剤の量よりも少なくてもよい。
【００１３】
前記表示装置は、向かい合う第１の基板および第２の基板と、前記第１の基板の上に配設される複数の信号線と、をさらに備え、前記着色画素および前記白色画素は、それぞれ前記複数の信号線と接続されている少なくとも一つの薄膜トランジスターを備え、前記複数の着色フィルターおよび前記オーバーコート膜は、前記第２の基板の上に配設されてもよい。
【００１４】
前記表示装置は、前記第２の基板の上に配設され、複数の開口部を有する遮光部材をさらに備え、前記着色フィルターは、前記遮光部材の前記開口部に配設される部分を有し、前記オーバーコート膜は、前記白色画素に配設され、前記遮光部材の前記開口部に配設される部分を有してもよい。
【００１５】
前記白色画素に配設される前記オーバーコート膜の厚さは、前記着色画素に配設される前記オーバーコート膜の厚さよりも大きくてもよい。
【００１６】
前記白色画素に配設される前記オーバーコート膜の上面の高さは、前記着色画素に配設される前記オーバーコート膜の上面の高さよりも小さくてもよい。
【００１７】
前記表示装置は、基板および前記基板の上に配設される複数の信号線をさらに備え、前記着色画素および前記白色画素は、それぞれ前記複数の信号線と接続されている少なくとも一つの薄膜トランジスターを備え、前記複数の着色フィルターおよび前記オーバーコート膜は、前記薄膜トランジスターの上に配設されてもよい。
【発明の効果】
【００１８】
本発明の実施形態によれば、白色画素を含む表示装置の製造工程を単純化させて製造時間および製造コストなどを減らすことができる。
【００１９】
また、本発明の実施形態によれば、映像の色品質を高めることができる。
【図面の簡単な説明】
【００２０】
【図１】本発明の一実施形態による表示装置の概略的な配置図である。
【図２Ａ】本発明の一実施形態による表示装置が含む複数の画素の配置図である。
【図２Ｂ】本発明の一実施形態による表示装置が含む複数の画素の配置図である。
【図３】本発明の一実施形態による表示装置の概略的な配置図である。
【図４】図３に示す表示装置のＩＶ−ＩＶ線に沿った断面図である。
【図５】オーバーコート膜の種類による正面および側面におけるホワイト色座標を示す表である。
【図６】複数の着色画素および白色画素が一緒に表示する映像の正面および側面におけるホワイト色座標の変化をオーバーコート膜の種類によって示すグラフである。
【図７】白色画素が表示する映像の正面および側面におけるホワイト色座標の変化をオーバーコート膜の種類によって示すグラフである。
【図８】本発明の一実施形態による表示装置が有するオーバーコート膜の透過率特性を示すグラフおよび従来の技術による透明有機膜の透過率特性を示すグラフである。
【図９】図３に示す表示装置のＩＶ−ＩＶ線に沿った断面図である。
【図１０】本発明の一実施形態による表示装置の概略的な配置図である。
【図１１】図１０に示す表示装置のＸＩ−ＸＩ線に沿った断面図である。
【図１２】図１０に示す表示装置のＸＩ−ＸＩ線に沿った断面図である。
【図１３】図１０に示す表示装置のＸＩ−ＸＩ線に沿った断面図である。
【図１４】図１０に示す表示装置のＸＩ−ＸＩ線に沿った断面図である。
【発明を実施するための形態】
【００２１】
以下、添付図面に基づき、本発明の好適な実施形態について本発明が属する技術分野において通常の知識を有する者が実施できる程度に詳細に説明する。しかしながら、本発明は、ここで説明される実施形態に何ら限定されるものではなく、他の形態に具体化可能である。
【００２２】
図中、様々な層及び領域の厚さは、明確性を図るために誇張されている。明細書全体に亘って同じ部分に対しては同じ図面符号を付する。なお、層、膜、領域、板などの部分が他の部分の「上」にあるとしたとき、それは、他の部分の「真上」にある場合だけではなく、これらの間にさらに他の部分がある場合も含む。逆に、ある部分が他の部分の「直上」にあるとしたときには、これらの間に他の部分がないことを意味する。
【００２３】
本発明を明確に説明するために、説明とは関係ない部分は省略し、明細書全体に亘って同一または類似の構成要素に対しては同じ参照符号を付する。
【００２４】
明細書全体に亘って、ある部分が他の部分と「接続」されているとしたとき、これは「直接的に接続」されている場合だけではなく、これらの間に他の素子を間に挟んで「電気的に接続」されている場合も含む。また、ある部分がある構成要素を「備える」としたとき、これは、特に断りのない限り、他の構成要素を排除するわけではなく、他の構成要素をさらに備えていてもよいことを意味する。
【００２５】
まず、図１、図２Ａおよび図２Ｂに基づき、本発明の一実施形態による表示装置について説明する。
【００２６】
図１は、本発明の一実施形態による表示装置の概略的な配置図であり、図２Ａおよび図２Ｂは、それぞれ本発明の一実施形態による表示装置が含む複数の画素の配置図である。
【００２７】
図１を参照すると、本発明の一実施形態による表示装置は、表示パネル１と、その背面に配設されるバックライト９００と、を備えていてもよい。
【００２８】
表示パネル１は、映像を表示する領域である表示領域ＤＡと、その周りに配設される周辺領域ＰＡと、を備えていえもよい。表示領域ＤＡは、複数の信号線（図示せず）と、ここに接続されている複数の画素ＰＸと、を備えていてもよい。複数の画素ＰＸは、略マトリックス状に配列されていてもよい。ここで、画素ＰＸは、一つの映像信号に対応する映像を表示する単位領域を意味し、光が実際に透過したり射出したりする透過領域（開口領域とも呼ばれる。）および光が遮断される遮光領域を備えていてもよい。遮光領域には、当該画素ＰＸに信号を印加するための薄膜トランジスターなどの電気素子または遮光部材（図示せず）が配設されてもよい。
【００２９】
図２Ａおよび図２Ｂを参照すると、複数の画素ＰＸは、複数の着色画素ＰＸ＿１、ＰＸ＿２、ＰＸ＿３および白色画素ＰＸ＿Ｗを含む。
【００３０】
複数の着色画素ＰＸ＿１、ＰＸ＿２、ＰＸ＿３は、赤色と、緑色および青色の三原色または四原色などの基本色のうちの一つを表示することができる。基本色は、赤色、緑色および青色の三原色に限定されるものではなく、青緑色（ｃｙａｎ）、紫紅色（ｍａｇｅｎｔａ）、黄色（ｙｅｌｌｏｗ）などであってもよい。本発明の一実施形態による複数の着色画素は、第１の着色画素ＰＸ＿１と、第２の着色画素ＰＸ＿２および第３の着色画素ＰＸ＿３などを備えていてもよい。本実施形態においては、第１の着色画素ＰＸ＿１が赤色を表示する赤色画素であり、第２の着色画素ＰＸ＿２が緑色を表示する緑色画素であり、第３の着色画素ＰＸ＿３が青色を表示する青色画素である場合を例にとって説明する。
【００３１】
複数の着色画素ＰＸ＿１、ＰＸ＿２、ＰＸ＿３はそれぞれの基本色を表示し、これらの基本色の空間的和によって所望の色相が認識されるようにしてフルカラーを表現することができる。
【００３２】
白色画素ＰＸ＿Ｗは、ある特定の波長帯の光を通過させる代わりに、可視光線の略全波長帯の光を均一に通過させて白色の映像を表示することができる。白色画素ＰＸ＿Ｗは、表示装置の色再現性を向上させたり輝度を補強したりする役割を果たす。
【００３３】
隣り合う複数の着色画素ＰＸ＿１、ＰＸ＿２、ＰＸ＿３をいずれもオンにして映像を表示するとき、これらと隣り合う白色画素ＰＸ＿Ｗを一緒に駆動して表示される映像の輝度を高めることができる。白色映像を表示する場合には白色画素ＰＸ＿Ｗのみを駆動してもよく、複数の着色画素ＰＸ＿１、ＰＸ＿２、ＰＸ＿３のみを駆動してもよく、全ての画素ＰＸ＿１、ＰＸ＿２、ＰＸ＿３、ＰＸ＿Ｗを駆動してもよい。
【００３４】
複数の着色画素ＰＸ＿１、ＰＸ＿２、ＰＸ＿３および白色画素ＰＸ＿Ｗの配置は、様々であってもよい。
【００３５】
図２Ａを参照すると、隣り合う複数の着色画素ＰＸ＿１、ＰＸ＿２、ＰＸ＿３および白色画素ＰＸ＿Ｗは、略矩形のマトリックス状に配置されてもよい。第１の着色画素ＰＸ＿１および白色画素ＰＸ＿Ｗが対角線方向に隣り合うように配置され、第２の着色画素ＰＸ＿２および第３の着色画素ＰＸ＿３が対角線方向に隣り合うように配置されてもよい。また、第１の着色画素ＰＸ＿１および第３の着色画素ＰＸ＿３が列方向に隣り合い、第２の着色画素ＰＸ＿２および白色画素ＰＸ＿Ｗが列方向に隣り合ってもよい。さらに、第１の着色画素ＰＸ＿１および第２の着色画素ＰＸ＿２が行方向に隣り合い、第３の着色画素ＰＸ＿３および白色画素ＰＸ＿Ｗが行方向に隣り合ってもよい。
【００３６】
図２Ｂを参照すると、本発明の一実施形態による表示装置において、隣り合う複数の着色画素ＰＸ＿１、ＰＸ＿２、ＰＸ＿３および白色画素ＰＸ＿Ｗは一列に配置されてもよい。例えば、第１の着色画素ＰＸ＿１と、第２の着色画素ＰＸ＿２および第３の着色画素ＰＸ＿３の着色画素および白色画素ＰＸ＿Ｗが行方向にこの順に配置されてもよい。また、第１の着色画素ＰＸ＿１と、第２の着色画素ＰＸ＿２および第３の着色画素ＰＸ＿３の着色画素および白色画素ＰＸ＿Ｗの配置順はこれに限定されず、多様な配置が考えられる。例えば、一例であるが、第１の着色画素ＰＸ＿１、第２の着色画素ＰＸ＿２、白色画素ＰＸ＿Ｗおよび第３の着色画素ＰＸ＿３の順に配置されてもよい。また、複数の着色画素ＰＸ＿１、ＰＸ＿２、ＰＸ＿３および白色画素ＰＸ＿Ｗの大きさおよび形状のうちの少なくとも一方が互いに同じであってもよいが、本発明はこれに何ら限定されない。例えば、複数の着色画素ＰＸ＿１、ＰＸ＿２、ＰＸ＿３および白色画素ＰＸ＿Ｗの大きさ（面積）が同じであり、各画素の形状が異なってもよい。また、例えば、複数の着色画素ＰＸ＿１、ＰＸ＿２、ＰＸ＿３および白色画素ＰＸ＿Ｗの形状が同じであり、各画素の大きさ（面積）が異なってもよい。その他、着色画素ＰＸ＿１、ＰＸ＿２、ＰＸ＿３および白色画素ＰＸ＿Ｗの大きさ（面積）は異なってもよい。また、着色画素ＰＸ＿１、ＰＸ＿２、ＰＸ＿３および白色画素ＰＸ＿Ｗの形状は異なってもよい。
【００３７】
このような画素の配置は、表示領域ＤＡにおいて一定であってもよく、位置によって変わってもよい。つまり、一画素内における各画素の配置は、表示領域ＤＡ内の全ての画素において一定であってもよく、あるいは表示領域内の画素の位置によって異なってもよい。
【００３８】
以下、上述した図面と図３乃至図５を結び付けて、本発明の一実施形態による表示装置について詳細に説明する。
【００３９】
図３は、本発明の一実施形態による表示装置の概略的な配置図であり、図４は、図３に示す表示装置のＩＶ−ＩＶ線に沿った断面図であり、図５は、オーバーコート膜の種類による正面および側面におけるホワイト色座標を示す表である。
【００４０】
本発明の一実施形態による表示装置は、液晶表示装置であり、向かい合う下部表示板１００および上部表示板２００と、これらの間に挟持されている液晶層３と、を備えていてもよい。
【００４１】
下部表示板１００は、具体的に図示しないが、複数の薄膜トランジスターおよびこれと接続されている複数の信号線を備えていてもよい。信号線は、薄膜トランジスターにゲート信号を送信するゲート線および薄膜トランジスターにデータ信号を転送するデータ信号を備えていてもよい。薄膜トランジスターはスイッチング素子であり、ゲート信号に基づいて制御されてデータ線のデータ電圧を伝達してもよい。
【００４２】
上部表示板２００は、断面構造からみたとき、ガラス、プラスチックなどの絶縁物質を含む基板２１０の上に配設される遮光部材２２０および複数の着色フィルター２３０を備えていてもよい。
【００４３】
表示領域ＤＡに配設される遮光部材２２０はブラックマトリックスとも呼ばれ、画素ＰＸ＿１、ＰＸ＿２、ＰＸ＿３、ＰＸ＿Ｗの透過領域を限定する複数の開口部を有する。遮光部材２２０は、隣り合う画素ＰＸ＿１、ＰＸ＿２、ＰＸ＿３、ＰＸ＿Ｗの間に配設されて光漏れを防ぐことができる。遮光部材２２０は、ブラックカーボンなどの遮光用顔料および感光性有機物質を含んでいてもよい。
【００４４】
着色フィルター２３０は、色を示す色剤を含み、バインダーと、光開始剤およびモノマーなどの有機物質を含んでいてもよい。色剤は、顔料の形態であってもよい。一つの着色画素ＰＸ＿１、ＰＸ＿２、ＰＸ＿３には、当該色を示す着色フィルター２３０が配設される。
【００４５】
着色フィルター２３０は、例えば、赤色、緑色、青色など三原色をそれぞれ示す赤色フィルターと、緑色フィルターおよび青色フィルターを備えていてもよい。例えば、赤色フィルターは赤色色剤を含み、緑色フィルターは緑色色剤を含み、青色フィルターは青色剤を含んでいてもよい。赤色色剤が赤色フィルターの全体の材料に占める割合、緑色色剤が緑色フィルターの全体の材料に占める割合および青色剤が青色フィルターの全体の材料に占める割合はそれぞれ略１５重量％以上であってもよい。
【００４６】
しかしながら、着色フィルター２３０が示す色はこれに何ら限定されるものではなく、他の基本色、例えば、マゼンタ、シアン、イエローなどの三原色を示してもよい。
【００４７】
着色フィルター２３０および基板２１０の上には、オーバーコート膜２５０が全面的に形成されている。すなわち、オーバーコート膜２５０は、遮光部材２２０および着色フィルター２３０と白色画素ＰＸ＿Ｗの基板２１０の上に配設されてもよい。
【００４８】
白色画素ＰＸ＿Ｗの透過領域のほとんどは、オーバーコート膜２５０が占めてもよい。このため、白色画素ＰＸ＿Ｗの透過領域に配設されるオーバーコート膜２５０の厚さは、着色画素ＰＸ＿１、ＰＸ＿２、ＰＸ＿３の透過領域に配設される着色フィルター２３０の厚さに実質的に等しくてもそれよりも大きくてもよい。また、白色画素ＰＸ＿Ｗの透過領域に配設されるオーバーコート膜２５０の厚さは、着色画素ＰＸ＿１、ＰＸ＿２、ＰＸ＿３の着色フィルター２３０の上に配設されるオーバーコート膜２５０の厚さよりも大きくてもよい。このため、白色画素ＰＸ＿Ｗにおけるオーバーコート膜２５０の上面の高さは、着色画素ＰＸ＿１、ＰＸ＿２、ＰＸ＿３の透過領域に配設される着色フィルター２３０の上面の高さに実質的に等しくてもそれよりも大きくてもよい。
【００４９】
白色画素ＰＸ＿Ｗの透過領域におけるオーバーコート膜２５０の上面の高さは、着色画素ＰＸ＿１、ＰＸ＿２、ＰＸ＿３の透過領域または遮光領域におけるオーバーコート膜２５０の上面の高さよりも小さくてもよく、その段差ｄｄは、オーバーコート膜２５０の粘度によって異なる。
【００５０】
白色画素ＰＸ＿Ｗにおけるオーバーコート膜２５０の上面が着色画素ＰＸ＿１、ＰＸ＿２、ＰＸ＿３におけるオーバーコート膜２５０の上面よりも下に垂れ下がって白色画素ＰＸ＿Ｗの液晶層３の厚さ、すなわち、セルギャップが着色画素ＰＸ＿１、ＰＸ＿２、ＰＸ＿３のセルギャップと異なってくることを防ぐために、オーバーコート膜２５０は十分な粘度を有する高平坦化有機物質を含んでいてもよい。
【００５１】
オーバーコート膜２５０は透明な有機物質を含み、その粘度は適切に調節されて基板２１０上における平坦度を調節することができる。
【００５２】
本発明の一実施形態によるオーバーコート膜２５０は所定の量の青色剤を含む。一つの白色画素ＰＸ＿Ｗに配設されるオーバーコート膜２５０が含む青色剤の量は、着色画素ＰＸ＿１、ＰＸ＿２、ＰＸ＿３のうちの一つの青色画素の青色フィルターに含まれている青色剤の量よりも少ない。より具体的には、オーバーコート膜２５０に含まれている青色剤は、オーバーコート膜２５０の総重量に対して略数重量％であってもよい。
【００５３】
一つの白色画素ＰＸ＿Ｗに対してオーバーコート膜２５０が含む青色剤がオーバーコート膜２５０の全体に占める質量比は、一つの青色画素に配設される青色フィルターに含まれている青色剤が青色フィルターの全体に占める質量比よりも小さい。
【００５４】
オーバーコート膜２５０は、青色剤に加えて、他の着色画素ＰＸ＿１、ＰＸ＿２、ＰＸ＿３が有する着色フィルター２３０の色剤は含んでいなくてもよい。
【００５５】
したがって、白色画素ＰＸ＿Ｗにおけるオーバーコート膜２５０を通過する光の色座標は、オーバーコート膜２５０に含まれている青色剤によって色座標が変化されて出力されてもよいが、一般的に通過する光の色は維持される。すなわち、透明層２３０＿Ｗ（白色画素ＰＸ＿Ｗにおけるオーバーコート膜２５０）に白色光が入射すると、一般的に白色光が出射され、透明層２３０＿Ｗに緑色光が入射すると、一般的に緑色光が射出される。しかしながら、オーバーコート膜２５０が含む青色剤の量に応じて、通過する光の色座標は所定の範囲内において可変である。
【００５６】
このようなオーバーコート膜２５０の特性については後述する。
【００５７】
オーバーコート膜２５０の上には、共通電極２７０が配設されてもよい。共通電極２７０は、酸化インジウムスズ（ＩＴＯ）、酸化インジウム亜鉛（ＩＺＯ）などの透明導電物質を含んでいてもよく、共通電圧を伝達してもよい。本実施形態とは異なり、共通電極２７０は、下部表示板１００に配設されてもよい。
【００５８】
共通電極２７０の上には、スペーサー３３０が配設されてもよい。スペーサー３３０は、遮光部材２２０と重なり合う個所に配設されてもよいが、本発明はこれに何ら限定されない。スペーサー３３０は、液晶層３のセルギャップ、すなわち、上部表示板２００と下部表示板１００との間の間隔を維持する役割を果たす。
【００５９】
スペーサー３３０は、アクリル系樹脂などの透明な有機物質を含んでもいてもよく、不透明な有機物質を含くんでいてもよい。
【００６０】
液晶層３は、液晶分子（図示せず）を含む。液晶層３は、正の誘電率異方性または負の誘電率異方性を有していてもよい。液晶分子は、液晶層３に電場がない状態で、その長軸が下部表示板１００または上部表示板２００の表面に対して略水平または垂直をなすように配向されていてもよい。このために、下部表示板１００または上部表示板２００の内側面には配向膜が形成されてもよい。配向膜は、パネルの内側面に配向液を塗布した後にラビングなどの物理的処理、光照射などの光学的処理または化学的処理などの方法によって形成される。また、配向膜または液晶層３は、液晶分子を配向させたりプレチルトを与えたりするための重合体などの配向補助手段を備えていてもよい。配向補助手段は、光学的または化学的な方法によって形成される。
【００６１】
下部表示板１００の画素電極および共通電極２７０は、一緒に液晶層３に電場を生成してもよい。画素電極および共通電極２７０に電圧が印加されれば、液晶層３に電場が生成され、液晶分子が再配列される。液晶層３に生成される電場の強さを調節して液晶分子の再配列度を調節することができ、これにより、液晶層３を通過する光の偏光の変化度を調節することができる。すると、液晶層３を通過した光は偏光子などによって透過率が調節され、これにより映像が表示される。
【００６２】
本発明の一実施形態のように、オーバーコート膜２５０が、透明な有機物質に加えて、少量の青色剤を含む本発明の一実施形態による表示装置の色座標特性について、図５乃至図８を参照して説明する。
【００６３】
図５は、オーバーコート膜の種類による正面および側面におけるホワイト色座標を示す表であり、図６は、複数の着色画素および白色画素が一緒に表示する映像の正面および側面におけるホワイト色座標の変化をオーバーコート膜の種類によって示すグラフであり、図７は、白色画素が表示する映像の正面および側面におけるホワイト色座標の変化をオーバーコート膜の種類によって示すグラフである。
【００６４】
図５を参照すると、オーバーコート膜が青色剤を含む透明有機膜である場合には本発明の一実施形態によるオーバーコート膜２５０によるものであり、オーバーコート膜が透明有機膜であるか、あるいは、赤色／緑色色剤を含む透明有機膜である場合には本発明の一実施形態と比較するための比較例である。赤色／緑色色剤を含む透明有機膜は、透明有機膜が赤色色剤または緑色色剤を含む透明有機膜を意味する。
【００６５】
また、図５において、ＲＧＢホワイト色座標Ｗ＿ＲＧＢは、表示装置が含む複数の着色画素ＰＸ＿１、ＰＸ＿２、ＰＸ＿３がターンオンされて一緒に示すホワイトの色座標を示す。また、白色画素ホワイト色座標Ｗ＿Ｗは、白色画素ＰＸ＿Ｗのみがターンオンされて示すホワイトの色座標を示す。また、全体のホワイト色座標Ｗ＿ａｌｌは、着色画素ＰＸ＿１、ＰＸ＿２、ＰＸ＿３および白色画素ＰＸ＿Ｗが一緒にターンオンされて示すホワイトの色座標を示す。高い輝度の映像を表示する場合、着色画素ＰＸ＿１、ＰＸ＿２、ＰＸ＿３とともに白色画素ＰＸ＿Ｗもターンオンさせるため、このときに観察されるホワイトの色座標は、全体のホワイト色座標Ｗ＿ａｌｌとなる。
【００６６】
ここで、色座標は、１９３１ ＣＩＥ ＸＹＺ色座標系上のｘ座標およびｙ座標である場合を例にとって説明する。
【００６７】
まず、本発明の一実施形態によるオーバーコート膜２５０の代わりに、透明な有機物質を含む通常の透明有機膜を用いる場合（Ａ）における実験データについて説明する。図５を参照すると、ＲＧＢホワイト色座標Ｗ＿ＲＧＢは、正面において（０．２６８，０．２８７）であり、側面において（０．２８，０．２９２）であり、白色画素ホワイト色座標Ｗ＿Ｗは、正面において（０．３０２，０．２９４）であり、側面において（０．３３，０．３３２）であり、全体のホワイト色座標Ｗ＿ａｌｌは、正面において（０．２８２，０．２９）であり、側面において（０．３０４，０．３０９）である。このことから、通常の透明有機膜を用いる場合（Ａ）、ＲＧＢホワイト色座標Ｗ＿ＲＧＢと白色画素ホワイト色座標Ｗ＿Ｗまたは全体のホワイト色座標Ｗ＿ａｌｌとの間の差分が非常に大きいということが分かる。
【００６８】
また、図７を参照すると、透明有機膜を用いる場合（Ａ）、正面から眺めるときの白色画素ホワイト色座標Ｗ＿Ｗと、側面から眺めるときの白色画素ホワイト色座標Ｗ＿Ｗとの間に大きな差分があり、側面から眺めるときに多くのホワイト色座標Ｗ＿Ｗが黄色を示す領域に移動して側面から見えるホワイトが相当黄色化されることが分かる。これにより、図６に示すように、正面および側面における全体のホワイト色座標Ｗ＿ａｌｌの差分が相対的に大きくなる。
【００６９】
白色画素ＰＸ＿Ｗにおいて、オーバーコート膜２５０またはこれを置き換える透明有機膜の平坦化があまり進んでおらず、他の着色画素ＰＸ＿１、ＰＸ＿２、ＰＸ＿３における液晶層３のセルギャップに比べて白色画素ＰＸ＿Ｗの液晶層３のセルギャップが大きいとき、このような側面における黄色化がなお一層激しくなる。
【００７０】
次いで、本発明の一実施形態によるオーバーコート膜２５０のように所定の量の青色剤を含む場合（Ｂ）における実験データについて説明する。図５を参照すると、ＲＧＢホワイト色座標Ｗ＿ＲＧＢは、正面において（０．２６８，０．２８６）であり、側面において（０．２８，０．２９１）であり、白色画素ホワイト色座標Ｗ＿Ｗは、正面において（０．２９３，０．２８６）であり、側面において（０．３２，０．３２）であり、全体のホワイト色座標Ｗ＿ａｌｌは、正面において（０．２８，０．２８８）であり、側面において（０．２９５，０．３）である。このことから、通常の透明有機膜を用いる場合（Ａ）に比べて、ＲＧＢホワイト色座標Ｗ＿ＲＧＢと白色画素ホワイト色座標Ｗ＿Ｗまたは全体のホワイト色座標Ｗ＿ａｌｌとの間の差分が非常に小さくなって互いに近似しているということが分かる。
【００７１】
図７を参照すると、本発明の一実施形態によるオーバーコート膜２５０を有する表示装置の場合（Ｂ）には、透明有機膜を用いる場合（Ａ）に比べて、正面から眺めるときの白色画素ホワイト色座標Ｗ＿Ｗと側面から眺めるときの白色画素ホワイト色座標Ｗ＿Ｗとの間の差分が小さいため、側面からホワイトを眺めるときに黄色化の度合いが緩和されるということが分かる。このため、図６に示すように、本発明の一実施形態によるオーバーコート膜２５０を有する表示装置の場合（Ｂ）には、透明有機膜を用いる場合（Ａ）に比べて、正面および側面における全体のホワイト色座標Ｗ＿ａｌｌの差分が相対的に小さく、且つ、色座標の黄色領域への色変移も小さくなる。
【００７２】
このような本発明の一実施形態と比較して、オーバーコート膜２５０が青色剤の代わりに赤色色剤および／または緑色色剤を含む場合（Ｃ）の実験データを比較例として説明する。図５乃至図７は、例えば、オーバーコート膜２５０が赤色色剤および緑色色剤を含む実験例を示す。まず、図５を参照すると、ＲＧＢホワイト色座標Ｗ＿ＲＧＢは、正面において（０．２６８，０．２８８）であり、側面において（０．２８，０．２９２）であり、白色画素ホワイト色座標Ｗ＿Ｗは、正面において（０．３１，０．３）であり、側面において（０．３４，０．３５）であり、全体のホワイト色座標Ｗ＿ａｌｌは、正面において（０．２８４，０．２９２）であり、側面において（０．３１，０．３２）である。このことから、オーバーコート膜２５０が青色剤ではない赤色色剤および緑色色剤を含む場合、通常の透明有機膜を用いる場合（Ａ）に比べても、ＲＧＢホワイト色座標Ｗ＿ＲＧＢと白色画素ホワイト色座標Ｗ＿Ｗまたは全体のホワイト色座標Ｗ＿ａｌｌとの間の差分がかなり大きくなったということが分かる。
【００７３】
また、図７を参照すると、オーバーコート膜２５０が赤色色剤および緑色色剤を含む場合（Ｃ）には、正面から眺めるときの白色画素ホワイト色座標Ｗ＿Ｗと側面から眺めるときの白色画素ホワイト色座標Ｗ＿Ｗとの間の差分は、透明有機膜を用いる場合（Ａ）に比べても大きく、且つ、側面から眺めるときにさらに多くのホワイト色座標Ｗ＿Ｗが黄色を示す領域に移動して側面から見えるホワイトがかなり黄色化されるということが分かる。これにより、図６に示すように、正面および側面における全体のホワイト色座標Ｗ＿ａｌｌの差分が相対的に大きくなり、且つ、側面から眺めるときのホワイトは、透明有機膜を用いる場合（Ａ）に比べてもさらに黄色化されるということを確認することができる。
【００７４】
図８は、従来の技術による透明有機膜の透過率特性を示すグラフＧ１と、本発明の一実施形態による表示装置が有するオーバーコート膜２５０の透過率特性を示すグラフＧ２を示す。
【００７５】
図８のグラフＧ１を参照すると、青色剤を含んでいない通常の透明有機膜を通過した光の透過率は、一部の波長帯、例えば、略３８０ｎｍ近くの波長帯において下がる傾向にある。しかしながら、図８のグラフＧ２を参照すると、本発明の一実施形態による表示装置の白色画素ＰＸ＿Ｗに配設されるオーバーコート膜２５０を通過した光の透過率は、波長帯によらずに概ね一定であるということが分かる。このため、本発明の一実施形態による表示装置の白色画素ＰＸ＿Ｗを通過した光の色座標は、歪み度が小さくなる。
【００７６】
このような実験結果から明らかなように、白色画素ＰＸ＿Ｗを含む表示装置において、オーバーコート膜２５０が所定の量の青色剤を含むことにより、着色画素ＰＸ＿１、ＰＸ＿２、ＰＸ＿３が示すホワイト色座標と白色画素ＰＸ＿Ｗが示すホワイト色座標との間の差分を減らして表示される映像の色品質を高めることができる。また、ホワイトの正面における色座標および側面における色座標間の差分が減って表示装置の観察角度による色の変化を低減することができるので、側面視認性を向上させることができる。
【００７７】
また、本発明の一実施形態によれば、白色画素ＰＸ＿Ｗにのみ配設される別途の白色フィルターを形成しなくても良いので、別途の白色フィルターを形成するための光マスクが不要である。これにより、表示装置の製造工程を単純化させて製造時間および製造コストなどを減少させることができる。
【００７８】
以下、上述した図面と図９を結び付けて本発明の一実施形態による表示装置について説明する。
【００７９】
図９は、図３に示す表示装置のＩＶ−ＩＶ線に沿った断面図である。
【００８０】
図９を参照すると、本実施形態による表示装置は、上述した図４に示す実施形態による表示装置とほとんど同様であるが、遮光部材２２０と、複数の着色フィルター２３０のうちの少なくとも２つが積み重ねられて重合部ＯＰを形成してもよい。重合部ＯＰは、遮光部材２２０と、薄膜トランジスターと、ゲート線およびデータ線などの信号線と重なり合う個所に配設されてもよいが、本発明はこれに何ら限定されない。図９は、遮光部材２２０の上に３つの互いに異なる色の着色フィルター２３０が重なり合って重合部ＯＰを形成する例を示す。重合部ＯＰは、遮光部材２２０と、その上の第１の着色フィルター２３０＿１と、その上の第２の着色フィルター２３０＿２と、その上の第３の着色フィルター２３０＿３と、を備えていてもよい。図９とは異なり、重合部ＯＰは、遮光部材２２０を備えていなくてもよい。つまり、重合部ＯＰは、遮光部材２２０を含まず、第１の着色フィルター２３０＿１と、その上の第２の着色フィルター２３０＿２と、その上の第３の着色フィルター２３０＿３とを含んでいてもよい。
【００８１】
また、重合部ＯＰは、遮光部材２２０を含まず、第１の着色フィルター２３０＿１、第２の着色フィルター２３０＿２、及び第３の着色フィルター２３０＿３の少なくとも２つを含んでいてもよい。例えば、重合部ＯＰは、遮光部材２２０を含まず、互いに隣接する第１の着色フィルター２３０＿１及び第２の着色フィルター２３０＿２を含んでいてもよい。
【００８２】
また、重合部ＯＰは、遮光部材２２０を含み、第１の着色フィルター２３０＿１、第２の着色フィルター２３０＿２、及び第３の着色フィルター２３０＿３の少なくとも２つを含んでいてもよい。例えば、重合部ＯＰは、遮光部材２２０を含み、互いに隣接する第１の着色フィルター２３０＿１及び第２の着色フィルター２３０＿２を含んでいてもよい。
【００８３】
重なり合って重合部ＯＰをなす第１乃至第３の着色フィルター２３０＿１、２３０＿２、２３０＿３は、図９に示すように、隣り合う着色画素ＰＸ＿１、ＰＸ＿２、ＰＸ＿３の着色フィルター２３０と接続されていてもよく、互いに離れていてもよい。
【００８４】
例えば、重合部ＯＰは、遮光部材２２０を含み、互いに隣接する第１の着色フィルター２３０＿１と第２の着色フィルター２３０＿２とが重畳した構成を含んでいてもよい。また、例えば、重合部ＯＰは、遮光部材２２０を含み、互いに隣接する第１の着色フィルター２３０＿１と第２の着色フィルター２３０＿２とが重畳した部分に、さらに第３の着色フィルター２３０＿３が重畳した構成を含んでいてもよい。
【００８５】
また、例えば、重合部ＯＰは、遮光部材２２０を含み、互いに隣接する第１の着色フィルター２３０＿１と第２の着色フィルター２３０＿２とが互いに離れた構成を含んでいてもよい。また、例えば、重合部ＯＰは、遮光部材２２０を含み、互いに隣接する第１の着色フィルター２３０＿１と第２の着色フィルター２３０＿２とが互いに離れた部分に、第３の着色フィルター２３０＿３が重畳した構成を含んでいてもよい。
【００８６】
また、例えば、重合部ＯＰは、遮光部材２２０を含まず、互いに隣接する第１の着色フィルター２３０＿１と第２の着色フィルター２３０＿２とが重畳した構成を含んでいてもよい。また、例えば、重合部ＯＰは、遮光部材２２０を含まず、互いに隣接する第１の着色フィルター２３０＿１と第２の着色フィルター２３０＿２とが重畳した部分に、さらに第３の着色フィルター２３０＿３が重畳した構成を含んでいてもよい。
【００８７】
また、例えば、重合部ＯＰは、遮光部材２２０を含まず、互いに隣接する第１の着色フィルター２３０＿１と第２の着色フィルター２３０＿２とが互いに離れた構成を含んでいてもよい。また、例えば、重合部ＯＰは、遮光部材２２０を含まず、互いに隣接する第１の着色フィルター２３０＿１と第２の着色フィルター２３０＿２とが互いに離れた部分に、第３の着色フィルター２３０＿３が重畳した構成を含んでいてもよい。
【００８８】
重合部ＯＰにおける遮光部材２２０の上に配設される第１の着色フィルター２３０＿１の厚さは、着色画素ＰＸ＿１、ＰＸ＿２、ＰＸ＿３の透過領域に配設される着色フィルター２３０の厚さよりも小さくてもよく、略３０％〜略７０％であってもよい。
【００８９】
重合部ＯＰにおける第１の着色フィルター２３０＿１の上に配設される第２の着色フィルター２３０＿２の厚さも、着色画素ＰＸ＿１、ＰＸ＿２、ＰＸ＿３の透過領域に配設される着色フィルター２３０の厚さおよび第１の着色フィルター２３０＿１の厚さよりも小さくてもよい。さらに、第ｎの着色フィルター２３０＿ｎの厚さは、真下の第ｎ−１の着色フィルター２３０＿ｎ−１の厚さよりも小さくてもよく、例えば、第ｎ−１の着色フィルター２３０＿ｎ−１の厚さの略３０％〜略７０％であってもよい。
【００９０】
着色フィルター２３０および基板２１０の上には、オーバーコート膜２５０が全面的に形成されてもよい。オーバーコート膜２５０についての説明は、上述した通りであるため、ここではその詳細な説明は省略する。
【００９１】
重合部ＯＰおよびその上のオーバーコート膜２５０は、一緒に液晶層３のセルギャップを維持するスペーサＣＳとして機能してもよい。スペーサＣＳの上には、共通電極２７０が除去されていてもよい。
【００９２】
次いで、上述した図面と図１０乃至図１４を結び付けて、本発明の一実施形態による表示装置について説明する。
【００９３】
図１０は、本発明の一実施形態による表示装置の概略的な配置図であり、図１１乃至図１４は、それぞれ図１０に示す表示装置のＸＩ−ＸＩ線に沿った断面図である。
【００９４】
図１０および図１１を参照すると、本発明の一実施形態による表示装置は、向かい合う下部表示板１００および上部表示板２００と、２枚の表示板１００、２００の間の液晶層３と、を備える。
【００９５】
下部表示板１００は基板１１０を有し、基板１１０の上にゲート線を有するゲート導電体（図示せず）が配設されてもよい。
【００９６】
ゲート導電体の上には、ゲート絶縁膜１４０が配設される。ゲート絶縁膜１４０は、窒化ケイ素、酸化ケイ素などの無機絶縁物質を含んでいてもよい。
【００９７】
ゲート絶縁膜１４０の上には、半導体層（図示せず）およびデータ導電体が配設される。データ導電体は、データ電圧を伝達する複数のデータ線１７１を備える。データ線１７１は、概ね隣り合う画素ＰＸ＿１、ＰＸ＿２、ＰＸ＿３、ＰＸ＿Ｗの間に延びてもよいが、本発明はこれに何ら限定されない。
【００９８】
薄膜トランジスターは、ゲート線およびデータ線１７１と接続されている。
【００９９】
データ導電体を有する薄膜トランジスターの上には、保護膜１８０ａが配設される。保護膜１８０ａは、無機絶縁物質または有機絶縁物質を含んでいてもよい。
【０１００】
保護膜１８０ａの上には、複数の着色フィルター２３０が配設されてもよい。一つの着色画素ＰＸ＿１、ＰＸ＿２、ＰＸ＿３には、当該色を示す着色フィルターが配設される。
【０１０１】
着色フィルター２３０および保護膜１８０ａの上には、オーバーコート膜１８０ｂが配設される。オーバーコート膜１８０ｂは、白色画素ＰＸ＿Ｗに配設される部分だけではなく、他の着色画素ＰＸ＿１、ＰＸ＿２、ＰＸ＿３の着色フィルター２３０の上に配設される部分も有していてもよい。
【０１０２】
白色画素ＰＸ＿Ｗの透過領域のほとんどは、オーバーコート膜１８０ｂが占めてもよい。このため、白色画素ＰＸ＿Ｗの透過領域に配設されるオーバーコート膜１８０ｂの厚さは、着色画素ＰＸ＿１、ＰＸ＿２、ＰＸ＿３の透過領域に配設される着色フィルター２３０の厚さに実質的に等しくてもそれよりも大きくてもよい。また、白色画素ＰＸ＿Ｗの透過領域に配設されるオーバーコート膜１８０ｂの厚さは、着色画素ＰＸ＿１、ＰＸ＿２、ＰＸ＿３の着色フィルター２３０の上に配設されるオーバーコート膜１８０ｂの厚さよりも大きくてもよい。これにより、白色画素ＰＸ＿Ｗにおけるオーバーコート膜１８０ｂの上面の高さは、着色画素ＰＸ＿１、ＰＸ＿２、ＰＸ＿３の透過領域に配設される着色フィルター２３０の上面の高さに実質的に等しくてもそれよりも大きくてもよい。
【０１０３】
白色画素ＰＸ＿Ｗの透過領域におけるオーバーコート膜１８０ｂの上面の高さは、着色画素ＰＸ＿１、ＰＸ＿２、ＰＸ＿３の透過領域または遮光領域におけるオーバーコート膜１８０ｂの上面の高さよりも小さくてもよく、その段差は、オーバーコート膜１８０ｂの粘度によって異なる。
【０１０４】
加えて、オーバーコート膜１８０ｂは、上述した実施形態によるオーバーコート膜２５０と同じ特徴およびそれに伴う効果を有する。
【０１０５】
オーバーコート膜１８０ｂの上には、キャッピング膜８０が配設されてもよい。キャッピング膜８０は、無機絶縁物質を含んでいてもよく、省略可能である。本発明の他の実施形態によれば、キャッピング膜８０は、着色フィルター２３０とオーバーコート膜１８０ｂとの間に配設されてもよい。
【０１０６】
キャッピング膜８０の上には、複数の画素電極１９１および遮蔽電極１９９が配設されてもよい。画素電極１９１および遮蔽電極１９９は、酸化インジウムスズ（ＩＴＯ）、酸化インジウム亜鉛（ＩＺＯ）などの透明な導電物質を含んでいてもよい。
【０１０７】
画素電極１９１はパターニングされて複数の枝電極（図示せず）を有する形態を有してもよいが、本発明はこれに何ら限定されない。画素電極１９１は、キャッピング膜８０と、オーバーコート膜１８０ｂおよび保護膜１８０ａの少なくとも一部に形成されるコンタクト孔（図示せず）を介して薄膜トランジスターと接続されてデータ電圧が印加される。
【０１０８】
遮蔽電極１９９は、データ線１７１を覆う部分を有してもよい。遮蔽電極１９９は、データ線１７１からの電場を遮蔽して隣り合う画素間の光漏れを遮断することができる。これによれば、データ線１７１と重なり合う別途の遮光部材を形成する必要がないので、画素の開口率および透過率を高めることができる。
【０１０９】
上部表示板２００は、遮光部材２２０を備えていてもよい。これとは異なり、遮光部材２２０は、下部表示板１００に配設されてもよい。
【０１１０】
下部表示板１００は、遮蔽電極１９９の上に配設されるスペーサー３３０を備えていてもよい。スペーサー３３０は、遮光部材２２０と重なり合う個所に配設されてもよいが、本発明はこれに何ら限定されない。つまり、スペーサー３３０は、遮光部材２２０と重なり合う個所以外に配置されてもよい。ただし、遮光部材２２０と重なり合う個所にスペーサー３３０が配置されることで、スペーサー３３０が透過領域に位置することによる光透過率の低下を抑制できる。スペーサー３３０は、液晶層３のセルギャップ、すなわち、上部表示板２００と下部表示板１００との間の間隔を維持する役割を果たす。
【０１１１】
加えて、上述した実施形態の色々な特徴が本実施形態にも同様に適用される。
【０１１２】
次いで、図１２を参照すると、本実施形態による表示装置は、上述した図１１に示す実施形態とほとんど同様であるが、３つの互いに異なる色の着色フィルター２３０が重なり合って重合部ＯＰを形成する例を示す。すなわち、重合部ＯＰは、第１の着色フィルター２３０＿１と、その上の第２の着色フィルター２３０＿２およびその上の第３の着色フィルター２３０＿３を備えていてもよい。重合部ＯＰおよびその上のオーバーコート膜１８０ｂは、一緒に液晶層３のセルギャップを維持するスペーサＣＳを形成してもよい。重合部ＯＰの変形例は、図９において説明した重合部ＯＰと同様である。
【０１１３】
次いで、図１３を参照すると、本実施形態による表示装置は、上述した図１１に示す実施形態による表示装置とほとんど同様であるが、キャッピング膜８０の位置が異なる。キャッピング膜８０は、オーバーコート膜１８０ｂの下に配設され、着色フィルター２３０および保護膜１８０ａの上に配設されてもよい。これにより、オーバーコート膜１８０ｂの上に直接的に複数の画素電極１９１および遮蔽電極１９９が配設されてもよい。
【０１１４】
次いで、図１４を参照すると、本実施形態による表示装置は、図１２に示す実施形態とほとんど同様であるが、キャッピング膜８０がオーバーコート膜１８０ｂの下に配設され、着色フィルター２３０および保護膜１８０ａの上に配設される例を示す。
【０１１５】
本発明の実施形態によれば、白色画素を含む表示装置の製造工程を単純化させて製造時間および製造コストなどを減らすことができる。
【０１１６】
また、本発明の実施形態によれば、赤色画素と、緑色画素および青色画素などの複数の着色画素が一緒に示すホワイトの色座標および白色画素が単独で示すホワイト色座標を実質的に同一にして表示される映像の色品質を高めることができる。なお、表示装置の観察角度による色の変化を減らして側面視認性を向上させることができる。
【０１１７】
本実施形態にも、上述した実施形態の色々な特徴およびそれに伴う効果が適用される。
【０１１８】
以上、本発明の好適な実施形態について説明したが、本発明はこれに何ら限定されるものではなく、特許請求の範囲と、発明の詳細な説明および添付図面の範囲内において種々に変形して実施することができ、これもまた本発明の範囲に属するということはいうまでもない。
【符号の説明】
【０１１９】
１：表示パネル
３：液晶層
３１：液晶分子
８０：キャッピング膜
１００：下部表示板
１４０：ゲート絶縁膜
１７１：データ線
１８０ａ：保護膜
１８０ｂ、２５０：オーバーコート膜
１９１：画素電極
１９９：遮蔽電極
２００：上部表示板
２２０：遮光部材
２３０：着色フィルター
２７０：共通電極
３３０：スペーサー
９００：バックライト  
【図１】
2016130839.tif 000003
【図２Ａ】
2016130839.tif 000004
【図２Ｂ】
2016130839.tif 000005
【図３】
2016130839.tif 000006
【図４】
2016130839.tif 000007
【図５】
2016130839.tif 000008
【図６】
2016130839.tif 000009
【図７】
2016130839.tif 000010
【図８】
2016130839.tif 000011
【図９】
2016130839.tif 000012
【図１０】
2016130839.tif 000013
【図１１】
2016130839.tif 000014
【図１２】
2016130839.tif 000015
【図１３】
2016130839.tif 000016
【図１４】
2016130839.tif 000017